(57)【要約】【課題】  刈草収集装置に刈草が堆積するにつれて刈草収集装置の内圧が上昇し、搬送風の流れを阻害する点を解決することで、一定の大きさの刈草収集装置（グラスバッグ）にできるだけ多くの刈草を収集することを可能にする。【解決手段】  カッタハウジング１２に芝草を刈るスクロール部３３を形成し、このスクロール部３３からカッタハウジング１２の後方に刈草を搬送する刈草搬送通路３２を形成し、この刈草搬送通路３２の出口（刈草搬送通路出口）１５４側を含むカッタハウジング１２の後部壁面３１に着脱自在に刈草収集装置２４を取付ける形式の芝刈機において、後部壁面３１に、刈草搬送通路３２の出口１５４に隣接させて刈草収集装置２４の内圧を低減させる内圧抑制孔１５３・・・を形成した。【選択図】      図１０
2006067915.tif 000002
【特許請求の範囲】
【請求項１】
カッタハウジングに芝草を刈るスクロール部を形成し、このスクロール部からカッタハウジングの後方に刈草を搬送する刈草搬送通路を形成し、この刈草搬送通路の出口側を含むカッタハウジングの後部壁面に着脱自在に刈草収集装置を取付ける形式の芝刈機において、
前記後部壁面に、前記刈草搬送通路の出口に隣接させて前記刈草収集装置の内圧を低減させる内圧抑制孔を形成したことを特徴とする芝刈機。
【請求項２】
前記内圧抑制孔は、前記後部壁面に上下方向を沿わせた長孔状に形成したものであることを特徴とする請求項１記載の芝刈機。
【請求項３】
前記内圧抑制孔は、上端に空気の流れを変える偏向板を備えたことを特徴とする請求項１又は請求項２記載の芝刈機。
【発明の詳細な説明】
【技術分野】
【０００１】
本発明は、刈草収集装置（グラスバッグ）の内圧を低減させることができる内圧抑制孔を形成した芝刈機に関するものである。
【背景技術】
【０００２】
芝刈機として、カッタハウジングの後部に刈草を収集する刈草収集装置（グラスバッグ）を取付けるようにしたものが実用に供されている。
実用の芝刈機は、カッタハウジングから刈草収集装置に刈草を搬送できるようにすれば実用上十分であった。
【０００３】
このような芝刈機として、カッタハウジングの後部に刈草を収集する刈草収集装置を着脱自在に取付けるようにしたものが知られている（例えば、特許文献１参照。）。
【特許文献１】実開平２−１２３８２６号公報（第２頁、第１図）
【０００４】
図１５は従来の芝刈機の基本構成を説明する図であり、芝刈機２３０は、カッタハウジング２３１の上部にエンジン２３２を取付け、このエンジン２３２にカッタブレード（不図示）を取付け、カッタハウジング２３１の後部に刈草収集装置（グラスバッグ）２３４を取付けるものであって、カッタハウジング２３１内でカッタブレードを回転させ、このカッタブレードで芝草を刈り、刈った刈草をカッタハウジング２３１の刈草搬送通路２３５から刈草収集装置（グラスバッグ）２３４に搬送風とともに搬送し、刈草収集装置２３４に刈草を収集するようにしたものである。
【０００５】
しかし、芝刈機２３０では、刈った刈草を刈草搬送通路２３５から刈草収集装置（グラスバッグ）２３４に収集し、この刈草収集装置２３４に刈草が堆積するにつれて刈草収集装置２３４の内圧が上昇し、搬送風の流れを阻害するという問題があった。
この結果、刈草収集装置２３４に刈草を十分に詰め込むことができず、刈草の収納体積を増やすために刈草収集装置２３４の体積を大きく必要であり、刈草収集装置２３４の肥大化を招くという欠点があった。
【０００６】
すなわち、一定の大きさの刈草収集装置（グラスバッグ）にできるだけ多くの刈草を収集することができる芝刈機が望まれる。
【発明の開示】
【発明が解決しようとする課題】
【０００７】
本発明は、刈草収集装置に刈草が堆積するにつれて刈草収集装置の内圧が上昇し、搬送風の流れを阻害する点を解決し、一定の大きさの刈草収集装置（グラスバッグ）にできるだけ多くの刈草を収集することができる芝刈機を提供することを課題とする。
【課題を解決するための手段】
【０００８】
請求項１に係る発明は、カッタハウジングに芝草を刈るスクロール部を形成し、このスクロール部からカッタハウジングの後方に刈草を搬送する刈草搬送通路を形成し、この刈草搬送通路の出口側を含むカッタハウジングの後部壁面に着脱自在に刈草収集装置を取付ける形式の芝刈機において、後部壁面に、刈草搬送通路の出口に隣接させて刈草収集装置の内圧を低減させる内圧抑制孔を形成したことを特徴とする。
【０００９】
例えば、刈草収集装置に刈草が堆積するにつれて刈草収集装置の内圧が上昇することを防止できるとすれば、一定の大きさの刈草収集装置（グラスバッグ）に多くの刈草を収集することができるので好ましいことである。
【００１０】
そこで、後部壁面に、刈草搬送通路の出口に隣接させて刈草収集装置の内圧を低減させる内圧抑制孔を形成した。
すなわち、後部壁面に、刈草搬送通路の出口に隣接させて刈草収集装置の内圧を低減させる内圧抑制孔を形成することで、刈草収集装置に搬送風の流れを確保する。
【００１１】
請求項２に係る発明は、内圧抑制孔を、後部壁面に上下方向を沿わせた長孔状に形成したことを特徴とする。
内圧抑制孔を、後部壁面に上下方向を沿わせた長孔状に形成することで、例えば、内圧抑制孔を長孔状の長辺に等しい正方形に形成する場合や、内圧抑制孔を長孔状の長辺に等しい直径を有する円形に形成する場合に比べ、長孔状の長辺に等しい長さの刈草の通過する確率を小さくすることができる。
【００１２】
請求項３に係る発明は、内圧抑制孔に、上端に空気の流れを変える偏向板を備えたことを特徴とする。
内圧抑制孔に、上端に空気の流れを変える偏向板を備えることで、内圧抑制孔を通過してしまった刈草を芝草面に落下させる。
【発明の効果】
【００１３】
請求項１に係る発明では、後部壁面に、刈草搬送通路の出口に隣接させて刈草収集装置の内圧を低減させる内圧抑制孔を形成したので、刈草収集装置に搬送風の流れを確保することができる。この結果、一定の大きさの刈草収集装置（グラスバッグ）に多くの刈草を収集することができるという利点がある。
【００１４】
請求項２に係る発明では、内圧抑制孔を、後部壁面に上下方向を沿わせた長孔状に形成したので、例えば、内圧抑制孔を長孔状の長辺に等しい正方形に形成する場合や、内圧抑制孔を長孔状の長辺に等しい直径を有する円形に形成する場合に比べ、長孔状の長辺に等しい長さの刈草の通過する確率を小さくすることができる。この結果、内圧抑制孔から空気のみ流し、刈草収集装置の内圧を低減させることができるという利点がある。
【００１５】
請求項３に係る発明では、内圧抑制孔に、上端に空気の流れを変える偏向板を備えることで、内圧抑制孔を通過してしまった刈草を芝草面に落下させることができる。この結果、カッタハウジングの周辺部分の堆積を抑制することができるという利点がある。
【発明を実施するための最良の形態】
【００１６】
本発明を実施するための最良の形態を添付図に基づいて以下に説明する。なお、図面は符号の向きに見るものとする。
図１は本発明に係る芝刈機の斜視図であり、芝刈機１０は、動力源としてのエンジン１３でカッタブレード１４を回転させ、このカッタブレード１４で芝草面を刈り、刈った刈草をカッタハウジング（カッタデッキ）１２から搬送風とともに刈草収集装置（グラスバッグ）２４に搬送し、この刈草収集装置２４に刈草を収集する芝刈機であるとともに、エンジン１３の回転を後輪１７に伝達し、エンジン１３で後輪１７を駆動するようにした自走式の芝刈機でもある。以下、その詳細を説明する。
【００１７】
図中、１１は機体、１６は前輪、１８はハンドルステー、１９はハンドル、２１はハンドル１９の横方向に渡したハンドルカバー、２２は後輪１７，１７にエンジン１３の動力を伝達する若しくは非伝達にする走行用クラッチレバー、２３はディスチャージガード（グラスカバー）、２５はカッタブレード１４を回転させる若しくは停止させるクラッチレバー（第１の操作レバー若しくは主操作部）、２６はロックレバー（第２の操作レバー若しくは副操作部）、２７はヘッドカバー、６０はロック機構を示す。
【００１８】
なお、クラッチレバー２５は、カッタブレード１４を停止させるときにカッタブレード１４にブレーキを掛ける操作を同時に行うレバーであり、ブレード・ブレーキ・クラッチ（ＢＢＣ）を操作するＢＢＣ用操作レバーと呼ぶこともある。
【００１９】
図２は本発明に係る芝刈機の側面図であり、芝刈機１０は、カッタハウジング１２の上部にエンジン１３を搭載し、このエンジン１３の出力軸（駆動軸）２８にクラッチ機構４０を介してカッタブレード１４を取付け、カッタハウジング１２の前部側面に前輪１６，１６（一方の１６は不図示）を取付け、カッタハウジング１２の後部側面に後輪１７，１７（一方の１７は不図示）を取付け、カッタハウジング１２の後部側面にハンドルステー１８，１８を（一方の１８は不図示）取付け、このハンドルステー１８，１８から後方にハンドル１９を延ばし、このハンドル１９にクラッチ機構４０を操作するクラッチレバー２５を設け、クラッチレバー２５の前方にクラッチレバーの接続機能を封じるロックレバー２６を設け、カッタハウジング１２の後部壁面３１に刈草収集装置（グラスバッグ）２４を着脱自在に取付け、カッタハウジング１２の後部壁面３１上部にディスチャージガード２３をスイング自在に取付けたものである。
【００２０】
なお、刈草収集装置（グラスバッグ）２４は刈草を通過させることなく、搬送風のみを通過させることのできる通気孔（不図示）を有して通気性の素材にて形成したものである。
【００２１】
図３は本発明に係る芝刈機の平面図であり、芝刈機１０は、エンジン１３（図1参照）を始動させた状態でロックレバー２６を機体１１の前方に倒し、クラッチレバー２５をハンドル１９側に倒し、２モーションでクラッチ機構４０を切離し状態から接続状態に移行させ、カッタブレード１４を回転させ、走行用クラッチレバー２２をハンドル１９側に倒し、後輪１７，１７を回転させ、機体１１を自走させつつカッタブレード１４で芝草面を刈るようにした自走式の芝刈機である。
【００２２】
カッタブレード１４は、白抜き矢印Ａ，Ａで示す回転方向に対して前側に位置する部位に刈刃部３８，３８を備え、これらの刈刃部３８，３８から回転方向に対して後側に位置する部位にかけて上方へ湾曲させたエアリフト部３９，３９を形成したもである。
【００２３】
すなわち、芝刈機１０は、カッタブレード１４を回転させることで、エアリフト部３９，３９の下面に生ずる負圧で地表の芝草を立上げ、刈刃部３８，３８で芝草を刈取り、刈取った刈草（刈芝）をエアリフト部３９，３９の上面でヒットし、カッタブレード１４の回転で起きる旋回流に載せ、この旋回流を搬送風として作用させ、この搬送風とともに刈草を白抜き矢印Ｂのように刈草搬送通路（刈芝搬送通路）３２から刈草収集装置（グラスバッグ）２４に送るものである。
【００２４】
図４は図１の４矢視図であり、芝刈機１０の底面を示す。すなわち、芝刈機１０は、エンジン１３（図１参照）でカッタブレード１４を回転させ、このカッタブレード１４をカッタハウジング１２で覆い、カッタハウジング１２に刈草を搬送する刈草搬送通路３２を設け、この刈草搬送通路３２に刈草を溜める刈草収集装置２４（図１参照）を連通させ、カッタブレード１４のエアリフト部３９，３９で発生させる搬送風で刈草を刈草搬送通路３２を経由させて刈草収集装置２４に搬送し、この刈草収集装置２４に刈草を収集するものである。
【００２５】
なお、２９は動力伝達部品（ベルト）、３３はカッタハウジング１２に設けることでカッタフレード１４を回転可能に収納するスクロール部、５２はドライブプーリ、３４は走行用クラッチ、３５は後輪用車軸であり、芝刈機１０は、出力軸２８のドライブプーリ５２から動力伝達部品（ベルト）２９を介してドリブンプーリ２９ａにエンジン１３（図１参照）の出力を伝達し、ドリブンプーリ２９ａからは走行用クラッチ３４を介して後輪用車軸３５にエンジン１３の出力を伝達し、後輪１７，１７（図１参照）を駆動するものである。
【００２６】
図５は本発明に係る芝刈機のマルチング作業状態を示すの側面図であり、マルチング作業（マルチングモード）とは、カッタハウジング内に２枚のカッタブレードを備え、これらのカッタブレードで芝草面を刈り、この芝草面に細かく裁断した刈芝を目立たさないように拡散する作業形態を言う。なお、マルチング作業は、後述するディスチャージ作業の一形態であるとも言える。
【００２７】
また、ディスチャージ作業（ディスチャージモード）とは、１枚のカッタブレードで芝草面を刈り、刈った刈草を刈草搬送通路を経由させディスチャージカバーから外部に刈草を放出する作業形態を言う。
さらに、バギング作業（バギングモード）とは、１枚のカッタブレードで芝草面を刈り、刈った刈草を刈草搬送通路を経由させ、刈草収集装置に収集する作業形態を言う。
【００２８】
すなわち、芝刈機１０は、マルチング作業、ディスチャージ作業及びバギング作業（図２参照）に対応した芝刈機であり、マルチング作業をする場合には、エンジン１３の出力軸にマルチング作業用の上部カッタブレード１５を取付けるとともに、ディスチャージ作業用及びバギング作業用のカッタブレード１４（ここでは、「上部カッタブレード１４」と記載する）を取付け、刈草搬送通路３２（図４参照）に蓋部材（不図示）を被せ、作業を遂行するものである。
【００２９】
図６は本発明に係る芝刈機のカッタハウジングの分解斜視図であり、天地を裏返した状態のカッタハウジング１２を示す。
カッタハウジング１２は、樹脂材にて成形した部材であって、カッタブレード１４を収納するハウジング本体１３１と、このハウジング本体１３１に取付けることで刈草搬送通路３２（図４参照）を形成する底部材１３２と、ハウジング本体１３１に取付けることでスクロール部３３を形成するスクロールガイド部材１３３と、からなる。
【００３０】
１３４，１３５はハウジング本体１３１に底部材１３２を取付ける取付ねじ、１３６，１３６はカッタハウジング１２にエンジン１３（図1参照）を取付けるとともにハウジング本体１３１にスクロールガイド部材１３３を共締めする取付ねじ、１３７，１３７はカッタハウジング１２にエンジン１３を取付ける取付ねじである。
【００３１】
ハウジング本体１３１は、主に刈草搬送通路３２（図４参照）及びスクロール部３３を形成するハウジング凹部１４１と、このハウジング凹部１４１の前方に形成する前部ガード部１４２と、ハウジング凹部１４１の後方に形成する後部壁面３１と、ハウジング凹部１４１の側方に形成する左右の側部ガード部１４５，１４６と、ハウジング凹部１４１の中央に形成することでエンジン１３（図１参照）の出力軸２８及びクラッチ機構４０を挿入する上部開口１４７と、この上部開口１４７の廻りに形成したエンジン１３を取付けるエンジンマウント部１４８と、このエンジンマウント部１４８の設けたエンジン１３を取付ける取付孔１４９・・・（・・・は複数個を示す。以下同じ）と、ハウジング凹部１４１に形成することで底部材１３２を取付ける内取付ボス１５１と、右の側部ガード部１４５に形成することで底部材１３２を取付ける外取付ボス１５２と、後部壁面３１の左に形成することで刈草収集装置２４（図１参照）の内圧を抑制するための内圧抑制孔１５３・・・と、後部壁面３１の右に形成した刈草搬送通路出口（出口側開口）１５４と、後部壁面３１の右に形成した底部材１３２を係止する係止孔１５５，１５５と、を主要構成とする部材である。
【００３２】
底部材１３２は、刈草搬送通路３２（図４参照）の底を形成する本体部１６１と、この本体部の前方に形成することでスクロール部３３の円弧状のフランジを形成するとともに刈草搬送通路入口１６２（図７参照）を構成する入口側補強部１６３と、この入口側補強部１６３の内端部に形成することで内取付ボス１５１の取付ける内取付部１６５と、入口側補強部１６３の外端部に形成することで内取付ボス１５２の取付ける外取付部１６６と、本体部の前方に形成することで後部壁面３１の係止孔１５５，１５５に嵌合させる突片１６７，１６７と、を形成したものである。
なお、入口側補強部１６３は、スクロール部３３の見切り（縦壁）としての機能お有する。
【００３３】
スクロールガイド部材１３３は、スクロール部３３を構成する略Ｕ字を連続させた円弧状のスクロール溝１７１と、このスクロール溝１７１の内周に形成することでハウジング本体１３１のエンジン１３とともに共締めする共締め部１７２，１７２と、スクロール溝１７１の外周に形成することでスクロール部３３の円弧状のフランジを形成するフランジ部１７３と、このフランジ部１７３の一端１７６に形成することで底部材１３２の内取付部１６５に嵌合（圧入）するボス部１７４と、スクロール溝１７１の一端１７６に形成することで刈草搬送通路３２の側面の一部を形成する搬送通路側面部１７５と、からなる。  図中、１７７はフランジ部１７３の他端を示す。
【００３４】
また、スクロールガイド部材１３３は、理想的な（所望の）スクロール部３３の形状を得るために、刈草搬送通路３２の入口（刈草搬送通路入口）１６２を最低位とするとともに、カッタハウジング１２の最大幅付近でハウジング本体１３１と連続させる形状に形成したものである。
【００３５】
図７は本発明に係る芝刈機のカッタハウジングの斜視図であり、天地を裏返した状態のカッタハウジング１２を示す。
図４に示す芝刈機１０は、カッタハウジング１２内でカッタブレード１４を回転させ、このカッタブレード１４で芝草を刈り、刈った刈草をカッタハウジング１２のスクロール部３３からカッタハウジング１２の刈草搬送通路３２を経由させて搬送する形式の芝刈機において、カッタハウジング１２を、カッタブレード１４を収納するハウジング本体１３１と、このハウジング本体１３１に取付けることで刈草搬送通路３２を形成する底部材１３２と、ハウジング本体１３１に取付けることでスクロール部３３を形成するスクロールガイド部材１３３と、に分割構成し、底部材１３２の刈草搬送通路出口１５４側をハウジング本体に係合させるとともに、底部材１３２の刈草搬送通路入口１６２側をハウジング本体１３１に取付け且つスクロールガイド部材１３３を係合させ、スクロールガイド部材１３３を、ハウジング本体１３１内でカッタブレード１４を回転させる図２に示すエンジン（動力源）１３と共締めしたものと言える。
【００３６】
図８は図７の８−８線断面図であり、底部材１３２の内取付部１６５は、取付ねじ１３４を貫通させる貫通孔１６８と、スクロールガイド部材１３３のボス部１７４を嵌合させる嵌合筒部１６９と、を備えたことを示し、底部材１３２の刈草搬送通路入口１６２側をハウジング本体１３１に取付け且つスクロールガイド部材１３３を係合させることで、底部材１３２及びスクロールガイド部材１３３の組付け性の向上を図ることができる。
【００３７】
図９は図７の９矢視図であり、カッタハウジング１２は、ハウジング本体１３１の内取付ボス１５１に底部材１３２の内取付部１６５を取付け、この内取付部１６５の嵌合筒部１６９（図８参照）にスクロールガイド部材１３３のボス部１７４を嵌合（圧入）することで、１本の内取付ボス１５１に底部材１３２及びスクロールガイド部材１３３の２部材を支持させることができるとともに、底部材１３２の入口側補強部１６３及びスクロールガイド部材１３３のフランジ部１７３をカッタブレード１４（図４参照）の回転を許容する連続させた円弧状に組立てることができるようにしたものである。
【００３８】
図１０は本発明に係る芝刈機のカッタハウジングのハウジング本体の斜視図であり、ハウジング本体１３１を斜め後方からの形状を示す。
ハウジング本体１３１の後部壁面３１は、前述したように、左側に形成することで刈草収集装置２４（図２参照）の内圧を抑制するための内圧抑制孔１５３・・・と、右側に形成した刈草搬送通路出口（出口）１５４と、右側下部に形成することで底部材１３２（図６参照）を係止する係止孔１５５，１５５と、を備えた面である。
【００３９】
例えば、刈草収集装置（図２参照）２４に刈草が堆積するにつれて、刈草収集装置２４の空間が狭くなり、搬送風の流れが流れにくくなるので、刈草の収集能力の低下を招く。
そこで、内圧抑制孔１５３・・・は、刈草収集装置２４の内圧を低減させ、刈草収集装置２４に搬送風の流れを確保するためのものである。以下、内圧抑制孔１５３の詳細形状を説明する。
【００４０】
図１１は本発明に係る芝刈機のカッタハウジングの内圧抑制孔の正面図であり、内圧抑制孔１５３は、後部壁面３１に開けた縦孔（後部壁面３１の上下方向を沿わせた長孔）であるとともにカッタハウジング１２（図７参照）内部に向けて先細りに形成した孔であり、上端（上面）に形成した偏向板としての上面テーパ部１８１と、両側面に形成した左・右テーパ部１８２，１８３と、下端（下面）に形成した下部テーパ部１８４と、を備える。
【００４１】
すなわち、内圧抑制孔１５３を、後部壁面３１に上下方向を沿わせた長孔状に形成することで、例えば、内圧抑制孔１５３を長孔状の長辺に等しい正方形に形成する場合や、内圧抑制孔１５３を長孔状の長辺に等しい直径を有する円形に形成する場合に比べ、長孔状の長辺に等しい長さの刈草の通過する確率を小さくすることができる。この結果、内圧抑制孔１５３・・・から空気のみ流し、刈草収集装置２４（図２参照）の内圧を低減させることができる。
【００４２】
内圧抑制孔１５３に、上面テーパ部１８１、左・右テーパ部１８２，１８３及び下部テーパ部１８４を設けることで、カッタハウジング１２（図７参照）を形成するための金型を制作し易くすることができる。また、内圧抑制孔１５３に、上面テーパ部１８１、左・右テーパ部１８２，１８３及び下部テーパ部１８４を設けることで、内圧抑制孔１５３形成するための金型のピンの抜きテーパを大きくとることができ、金型の寿命を延ばすことができる。
【００４３】
内圧抑制孔１５３・・・の配置形態は、後部壁面３１に縦配列した内圧抑制孔１５３・・・の列を内圧抑制孔列１８５と呼ぶときに、隣り同士の内圧抑制孔列１８５，１８５の内圧抑制孔１５３・・・に上下位置をずらして配置したものである。一般的には、この配列を千鳥状（千鳥に配置する）と言うことがある。
【００４４】
すなわち、内圧抑制孔１５３・・・の配置形態を千鳥状（千鳥に）配置することで、内圧抑制孔列の内圧抑制孔１５３，１５３同士の上下間の寸法、及び隣り合う内圧抑制孔列同士の寸法を小さくすることができる。これにより、内圧抑制孔１５３・・・の開口密度を増やすことができる。また、後部壁面３１の剛性向上を図ることができ、カッタハウジング１２（図７参照）全体の剛性の向上を図ることができる。
【００４５】
図１２は図１１の１２−１２線断面図であり、内圧抑制孔１５３の上面テーパ部１８１は、鋭い傾斜を付けたものであり、空気の流れを変える偏向板の役目をなす。
すなわち、芝刈機１０（図１参照）は、内圧抑制孔１５３に、上端に空気の流れを変える上面テーパ部（偏向板）１８１を備えることで、内圧抑制孔１５３を通過してしまった刈草を芝草面に落下させることができる。この結果、カッタハウジング１２（図７参照）の周辺部分（例えば、後輪１７，１７の車軸（不図示）や動力伝達部品２９（図４参照）等）の堆積を抑制することができる。
【００４６】
図１３は本発明に係る芝刈機のカッタハウジングの背面図であり、図４に示す芝刈機１０は、カッタハウジング１２に芝草を刈るスクロール部３３を形成し、このスクロール部３３からカッタハウジング１２の後方に刈草を搬送する刈草搬送通路３２を形成し、この刈草搬送通路３２の出口（刈草搬送通路出口）１５４側を含むカッタハウジング１２の後部壁面３１に着脱自在に刈草収集装置２４（図２参照）を取付ける形式の芝刈機において、後部壁面３１に、刈草搬送通路３２の出口１５４に隣接させて刈草収集装置２４の内圧を低減させる内圧抑制孔１５３・・・を形成したのもと言える。
【００４７】
例えば、刈草収集装置に刈草が堆積するにつれて刈草収集装置の内圧が上昇することを防止できるとすれば、一定の大きさの刈草収集装置（グラスバッグ）に多くの刈草を収集することができるので好ましいことである。
【００４８】
そこで、後部壁面３１に、刈草搬送通路３２の出口１５４に隣接させて刈草収集装置２４の内圧を低減させる内圧抑制孔１５３・・・を形成することで、刈草収集装置２４（図２参照）に搬送風の流れを確保する。この結果、一定の大きさの刈草収集装置（グラスバッグ）２４に多くの刈草を収集することができる。
【００４９】
図１４（ａ），（ｂ）は本発明に係る芝刈機の刈草堆積の状態を示す作用説明図である。
（ａ）において、刈草搬送通路３２（図３参照）から搬送風とともに刈草１８６を刈草収集装置（グラスバッグ）２４に矢印ｅ１の如く搬送し、刈草１８６を刈草収集装置２４に残し、通気性の刈草収集装置２４から搬送風のみを矢印ｅ２・・・の如く逃がす。
【００５０】
（ｂ）において、刈草収集装置（グラスバッグ）２４は刈草を通過させることなく、搬送風のみを通過させることのできる通気孔（不図示）を有して通気性の素材にて形成したものである。しかしながら、刈草の形状は千差万別な形状であり、刈草収集装置２４に刈草１８６の堆積量が増えると、通気性の刈草収集装置２４から搬送風を逃がし難くなり、刈草収集装置２４の内圧が増加し、刈草収集装置２４の刈草収集能力の低下を招く。
【００５１】
そこで、内圧抑制孔１５３・・・（図１１参照）から矢印ｅ４，ｅ４の如く搬送風を逃がすようにして刈草収集装置２４の内圧が増加の抑制を図るようにした。この結果、刈草収集装置（グラスバッグ）２４に多くの刈草１８６を収集することができる。
【００５２】
尚、本発明に係る芝刈機は、図１０に示すように、内圧抑制孔１５３を後部壁面３１の上下方向を沿わせた長孔としてが、これに限るものではなく、後部壁面３１に所定の角度を持たせた（傾斜させた）長孔としたものであってもよい。
【産業上の利用可能性】
【００５３】
本発明に係る芝刈機は、動力源としてエンジンを搭載し、このエンジンに回転を後輪に伝達する自走式の芝刈機に採用するのに好適である。
【図面の簡単な説明】
【００５４】
【図１】本発明に係る芝刈機の斜視図である。
【図２】本発明に係る芝刈機の側面図である。
【図３】本発明に係る芝刈機の平面図である。
【図４】図１の４矢視図である。
【図５】本発明に係る芝刈機のマルチング作業状態を示すの側面図である。
【図６】本発明に係る芝刈機のカッタハウジングの分解斜視図である。
【図７】本発明に係る芝刈機のカッタハウジングの斜視図である。
【図８】図７の８−８線断面図である。
【図９】図７の９矢視図である。
【図１０】本発明に係る芝刈機のカッタハウジングのハウジング本体の斜視図である。
【図１１】本発明に係る芝刈機のカッタハウジングの内圧抑制孔の正面図である。
【図１２】図１１の１２−１２線断面図である。
【図１３】本発明に係る芝刈機のカッタハウジングの背面図である。
【図１４】本発明に係る芝刈機の刈草堆積の状態を示す作用説明図である。
【図１５】従来の芝刈機の基本構成を説明する図である。
【符号の説明】
【００５５】
１０…芝刈機、１２…カッタハウジング、１４…カッタブレード、２４…刈草収集装置３１…後部壁面、３２…刈草搬送通路、３３…スクロール部、１５３…内圧抑制孔、１５４…出口（刈草搬送通路出口）、１８１…偏向板（上面テーパ部）。
【図１】
2006067915.tif 000003
【図２】
2006067915.tif 000004
【図３】
2006067915.tif 000005
【図４】
2006067915.tif 000006
【図５】
2006067915.tif 000007
【図６】
2006067915.tif 000008
【図７】
2006067915.tif 000009
【図８】
2006067915.tif 000010
【図９】
2006067915.tif 000011
【図１０】
2006067915.tif 000012
【図１１】
2006067915.tif 000013
【図１２】
2006067915.tif 000014
【図１３】
2006067915.tif 000015
【図１４】
2006067915.tif 000016
【図１５】
2006067915.tif 000017